(57)【要約】      （修正有）【課題】プロジェクタのロール・ピッチ・ヨー方向の比較的迅速かつ容易な精密位置調整を提供する。【解決手段】プロジェクション・デバイスを頭上の構造物へ取り付けるためのマウントは、上記プロジェクション・デバイスへ複数のファスナによって機能的に取付け可能なデバイス・インタフェースを含む。上記デバイス・インタフェースは第１の部分と、上記第１の部分上に滑動可能式に配置される第２の部分とを備える。上記第１及び第２の部分は合わせて複数の保持構造体を画定し、各保持構造体は上記複数のファスナの個々の１つを受け入れるためのものである。上記第２の部分は、上記複数のファスナの各々が上記保持構造体の個々の１つに受け入れられて保持される第１のラッチ位置と、上記複数のファスナが上記保持構造体から自由に外れることのできる第２の非ラッチ位置との間を上記第１の部分に対して選択的かつ滑動可能式に移動することができる。【選択図】図１
2008003572.tif 000002
【特許請求の範囲】
【請求項１】
プロジェクション・デバイスを頭上の構造物へ取り付けるためのマウントであって、
上記プロジェクション・デバイスへ複数のファスナによって機能的に取付け可能なデバイス・インタフェースを備え、上記デバイス・インタフェースは第１の部分と、上記第１の部分上に滑動可能式に配置される第２の部分とを備え、上記第１及び第２の部分は合わせて複数の保持構造体を画定し、各保持構造体は上記複数のファスナの個々の１つを受け入れるためのものであり、上記第２の部分は、上記複数のファスナの各々が上記保持構造体の個々の１つに受け入れられて保持される第１のラッチ位置と、上記複数のファスナが上記保持構造体から自由に外れることのできる第２の非ラッチ位置との間を上記第１の部分に対して選択的かつ滑動可能式に移動可能であり、
上記デバイス・インタフェースと機能的に結合されるデバイス配位調整構造体を備え、上記デバイス配位調整構造体は、上記デバイス・インタフェースから延設される少なくとも１つの直立材と、上記少なくとも１つの直立材から延設されかつ上記直立材と機能的に結合される第１の部分を有する支持構造体インタフェースとを含み、上記支持構造体インタフェースは、上記頭上の構造物と固定的に結合されるように適合化され、上記直立材及び上記支持構造体インタフェースは、協働して第１の回転軸を画定する案内構造体を有し、上記デバイス・インタフェースは、上記第１の回転軸を中心にして選択的に移動可能であるマウント。
【請求項２】
上記デバイス・インタフェースの上記第１及び第２の部分の各々はプレート状の構造体を備える、請求項１記載のマウント。
【請求項３】
上記複数の保持構造体の各保持構造体は、上記第１の部分のプレート状構造体の周縁における第１のノッチと、上記第２の部分のプレート状構造体の周縁における対応する第２のノッチとを備える、請求項２記載のマウント。
【請求項４】
上記デバイス・インタフェースに機能的に結合されかつ上記第２の部分を上記第１の部分と相対的に移動させるように配置される制御装置をさらに備える、請求項１記載のマウント。
【請求項５】
上記制御装置は回転可能なレバーを備える、請求項４記載のマウント。
【請求項６】
上記デバイス・インタフェースの上記第１及び第２の部分の各々はプレート状の構造体を備え、上記第２の部分の上記プレート状の構造体は長円形の開口を画定し、上記回転可能なレバーは上記長円形の開口に配置されかつ上記第１の部分のプレートへ機能的に結合されるカム部分を含む、請求項５記載のマウント。
【請求項７】
上記デバイス・インタフェースと機能的に結合されるロック機構をさらに備え、上記ロック機構は、上記デバイス・インタフェースの上記第２の部分が上記第１の部分と相対的に自由に移動可能である第１のロックされない位置と、上記ロック機構が上記第２の部分のラッチ位置から非ラッチ位置へのシフトを抑止する第２のロック位置との間を選択的に移動可能である、請求項１記載のマウント。
【請求項８】
上記ロック機構はキーを受け入れるための構造体を有するロック・シリンダを含み、上記ロック構造体は上記キーによって回転可能であって、上記ロック機構を上記ロック位置と上記ロックされない位置との間で移動させる、請求項７記載のマウント。
【請求項９】
上記少なくとも１つの直立材は少なくとも１つのファスナで上記デバイス・インタフェースへ固定され、上記プロジェクション・デバイスが上記デバイス・インタフェースへ取り付けられると、上記少なくとも１つのファスナへは取外しのためにアクセスすることができない、請求項１記載のマウント。
【請求項１０】
上記支持構造体インタフェースは第２の部分を含み、上記支持構造体インタフェースの上記第１及び第２の部分は、概して上記第１の回転軸を横断する第２の回転軸を画定するように機能的に結合され、上記支持構造体インタフェースが上記頭上の構造物と固定的に結合されると、上記デバイス・インタフェースは上記第１及び第２の回転軸の双方を中心にして別々かつ選択的に移動可能である、請求項１記載のマウント。
【請求項１１】
上記第１及び第２の部分の支持構造体インタフェースを機能的な係合状態に保持するための保持構造体をさらに備え、上記保持構造体は少なくとも１つのファスナで固定され、上記プロジェクション・デバイスが上記デバイス・インタフェースへ取り付けられると、上記保持構造体を固定する上記少なくとも１つのファスナには取外しのためにアクセスすることができない、請求項１０記載のマウント。
【請求項１２】
プロジェクション・デバイスを頭上の構造物へ取り付けるためのマウントであって、
上記プロジェクション・デバイスへ機能的に取付け可能なデバイス・インタフェースと、
上記デバイス・インタフェースと機能的に結合されるデバイス配位調整構造体と、を備え、上記デバイス配位調整構造体は、上記デバイス・インタフェースから延設される少なくとも１つの直立材と、上記少なくとも１つの直立材から延設されかつ上記直立材と機能的に結合される支持構造体インタフェースとを含み、上記支持構造体インタフェースは、上記頭上の構造物と機能的に結合されるように適合化され、上記少なくとも１つの直立材及び上記支持構造体インタフェースは協働して第１の回転軸を画定する案内構造体を有し、上記支持構造体インタフェースは第１の部分と第２の部分とを含み、上記支持構造体インタフェースの上記第１及び第２の部分は、概して上記第１の回転軸を横断する第２の回転軸を画定するように機能的に結合され、上記デバイス・インタフェースは、上記支持構造体インタフェースが上記頭上の構造物と固定的に結合されると、上記第１及び第２の回転軸の双方を中心にして別々かつ選択的に移動可能であり、上記第１及び第２の回転軸の何れも、上記デバイス・インタフェースまたは上記デバイス配位調整構造体のどの部分をも通って伸張しないマウント。
【請求項１３】
上記マウントは、上記デバイス・インタフェースから延設される１対の離隔された直立材を含み、上記支持構造体インタフェースは上記離隔された両直立材間を伸張する、請求項１２記載のマウント。
【請求項１４】
上記第１の回転軸を中心とする上記デバイス・インタフェースの移動を摩擦で防止するために配置される単一の選択的に調整可能な摩擦エレメントをさらに備える、請求項１２記載のマウント。
【請求項１５】
上記単一の選択的に調整可能な摩擦エレメントは、上記支持構造体インタフェースを上記少なくとも１つの直立材に対して摩擦でバイアスするように配置されるねじ切りされたファスナを備える、請求項１４記載のマウント。
【請求項１６】
上記第２の回転軸を中心とする上記デバイス・インタフェースの移動を摩擦で防止するために配置される単一の選択的に調整可能な摩擦エレメントをさらに備える、請求項１２記載のマウント。
【請求項１７】
上記単一の選択的に調整可能な摩擦エレメントは、上記支持構造体インタフェースの上記第１及び第２の部分を合わせて摩擦でバイアスするように配置されるねじ切りされたファスナを備える、請求項１６記載のマウント。
【請求項１８】
上記支持構造体インタフェースの第１の部分は、中央の開口を画定する外枠を備え、上記支持構造体インタフェースの上記第２の部分は内枠を備え、上記内枠は上記外枠の上記中央の開口に配置される、請求項１６記載のマウント。
【請求項１９】
上記支持構造体インタフェースの上記第１及び第２の部分の少なくとも１つは、上記デバイス・インタフェースを上記第１または第２の回転軸を中心にして選択的に移動するために、駆動エレメントと係合可能な第１の複数のギヤ歯を画定する、請求項１２記載のマウント。
【請求項２０】
上記駆動エレメントはねじ廻しを備える、請求項１９記載のマウント。
【請求項２１】
上記ねじ廻しはプラスのねじ頭を有する、請求項２０記載のマウント。
【請求項２２】
上記第１及び第２の回転軸の少なくとも１つは上記プロジェクション・デバイスを介して伸張する、上記プロジェクション・デバイスと組み合わされた請求項１２記載のマウント。
【請求項２３】
上記プロジェクション・デバイスは重心を画定し、上記第１及び第２の回転軸の少なくとも１つは上記重心に近接して伸張する、請求項２２記載のマウントとプロジェクション・デバイスの組合せ。
【請求項２４】
上記第１及び第２の回転軸は実質的に交わる、請求項１２記載のマウント。
【請求項２５】
上記支持構造体インタフェースは、概して上記第１及び第２の回転軸の双方を横断する第３の回転軸を画定するように上記第１及び第２の部分へ機能的に結合される第３の部分をさらに備え、上記デバイス・インタフェースは上記第３の回転軸を中心にして選択的に回転可能である、請求項１２記載のマウント。
【請求項２６】
上記第３の回転軸を中心とする上記デバイス・インタフェースの回転を摩擦で防止するために配置される単一の選択的に調整可能な摩擦エレメントをさらに備える、請求項２５記載のマウント。
【請求項２７】
上記単一の選択的に調整可能な摩擦エレメントは、上記支持構造体インタフェースの上記第２及び第３の部分を合わせて摩擦でバイアスするように配置されるねじ切りされたファスナを備える、請求項２６記載のマウント。
【請求項２８】
上記支持構造体インタフェースの第１の部分は中央の開口を画定する外枠を備え、上記支持構造体インタフェースの上記第２の部分は内枠を備え、上記内枠は上記外枠の上記中央の開口に配置されかつ内枠の中央の開口を画定し、上記支持構造体インタフェースの上記第３の部分はカプラを備え、上記カプラは上記内枠の中央の開口に選択的かつ回転可能式に受け入れられる、請求項２６記載のマウント。
【請求項２９】
上記頭上の構造物へ取り付けられるように適合化される少なくとも１つの懸架エレメントをさらに備え、上記カプラは上記少なくとも１つの懸架エレメントを受け入れるための構造体を有する、請求項２８記載のマウント。
【請求項３０】
上記少なくとも１つの懸架エレメントはパイプであり、上記カプラは上記パイプを内部に受け入れるための中央の穴を画定する、請求項２９記載のマウント。
【請求項３１】
上記第１、第２及び第３の回転軸は実質的に交わる、請求項２５記載のマウント。
【請求項３２】
上記第１、第２及び第３の回転軸は全て上記プロジェクション・デバイスを介して伸張する、上記プロジェクション・デバイスと組み合わされた請求項２５記載のマウント。
【請求項３３】
上記プロジェクション・デバイスは重心を画定し、上記第１、第２及び第３の回転軸の少なくとも１つは上記重心に近接して伸張する、請求項３２記載のマウントとプロジェクション・デバイスの組合せ。
【発明の詳細な説明】
【技術分野】
【０００１】
本発明はマウント・デバイスに関し、より具体的には、プロジェクタのための調整可能なマウントに関する。
【背景技術】
【０００２】
ビデオ・プロジェクション機器を使用して実行されるマルチメディア・プレゼンテーションは、ビジネス及び娯楽目的で極めて一般的なものになっている。多くの場合、ビデオ・プロジェクション機器は、室内のテーブル、カートまたはスタンド上に置かれるポータブルＬＣＤプロジェクタである。しかしながら、このようなにわか作りの装置には、幾つかの欠点がある。第１に、プレゼンテーションの前に、プロジェクタを配置し、照準しかつ焦点を合わせるためにはかなりの時間を要することが多く、その時間は、異なるプロジェクタがセットアップされる度に繰り返し浪費される。さらに、ポータブル・プロジェクタを、室内を動き回る者の邪魔にならない場所、またはプレゼンテーションを視る者の視野方向に置くことは難しい場合が多い。さらに、プロジェクタとコンピュータとの接続に使用される配線及びケーブルは床上にむき出しの状態であり、誰かが接触することになればつまずいて転ぶ危険性をはらみ、かつプロジェクタを損傷させることにもなる。
【０００３】
ポータブル・プロジェクタのこれらの多くの欠点に鑑みて、プロジェクション・デバイスをプレゼンテーション・ルームの天井から取り付けることができるようにするマウント・デバイスが開発されている。このようなデバイスは、概して、床上に配線が露出されるプロジェクタに関連づけられる問題点の幾つかを軽減することに成功している。しかしながら、これらの先行技術による天井マウント型デバイスには、ある種の欠点がある。
【０００４】
米国特許第５，４９０，６５５号には、天井または壁からビデオ／データ・プロジェクタを取り付けるためのデバイスが開示されていて、プロジェクタを支えるための溝の形成と、ケーブル布線の隠蔽にストラットが使用される。しかしながら、結果的に、これらの溝によってデバイスはかなり嵩張ったものになり、プレゼンテーション・ルームという美的な環境には調和しにくいことがある。さらに、上記デバイスの調整能力は概して限定的であることから、プロジェクタのロール、ピッチ及びヨーの調整は時間のかかる困難な作業になる場合がある。また、無人の時間帯では、プロジェクタは普通の手工具を持って上記デバイスにアクセスする者によって盗まれやすいということもある。米国特許第６，０４２，０６８号に開示されている薄型ＬＣＤプロジェクタ・マウント等の他の先行技術デバイスは、どちらかと言えばさらに小型のマウント装置を提供しているが、プロジェクタのピッチ及びヨーの調整はやはり限定的でしかなく、ロールの調整は全く行われない。
【０００５】
米国特許出願第１０／８２１，６５９号に開示されているプロジェクタ・マウントは、先行技術デバイスにおける問題点の多くを軽減している。この米国特許出願第１０／８２１，６５９号は本件発明の所有者が所有するものであり、本参照によりその全体が開示に含まれる。開示されているマウントは、独立したプロジェクタ・ロール、ピッチ及びヨー調整及びマウントの分離した各部分を繋ぐコード・ファスナの形式の盗難抑止策を装備する。しかしながら、位置の微調整は、調整を有効化すべく緩められかつ締められる別々のファスナの数（ピッチ及びロール調整用の６つ）によって、かつプロジェクタの重量に起因してプロジェクタがその所望される位置に保持されない限りマウントを引っ張って調整外れにする傾向により妨げられることがある。また、盗難防止用のセキュリティ・ファスナはデバイスの盗難を抑止するが、プロジェクタ・デバイスを使用する便利さは、プロジェクタを新たなロケーションに移動させるために特別なツールを使用してセキュリティ・ファスナを外さなければならないことによって損なわれる。
【０００６】
従って、いまだ業界には、プロジェクタのロール・ピッチ・ヨー方向の比較的迅速かつ容易な精密位置調整、高度なセキュリティ及び盗難抑止策及び小型サイズという特徴を併せ持つプロジェクタ・マウントに対するニーズが存在する。
【発明の開示】
【発明が解決しようとする課題】
【０００７】
本発明は、プロジェクタのロール・ピッチ・ヨー方向の比較的迅速かつ容易な精密位置調整、高度なセキュリティ及び盗難抑止策及び小型サイズという特徴を併せ持つプロジェクタ・マウントに対する業界のニーズに対応するものである。本発明のある実施形態によれば、プロジェクション・デバイスを頭上の構造物へ取り付けるためのマウントは、上記プロジェクション・デバイスへ機能的に取付け可能なデバイス・インタフェースと、上記デバイス・インタフェースと機能的に結合されるデバイス配位調整構造体とを含む。上記デバイス配位調整構造体は、上記デバイス・インタフェースから延設される少なくとも１つの直立材と、上記少なくとも１つの直立材から延設されかつ上記直立材と機能的に結合される支持構造体インタフェースとを含む。上記支持構造体インタフェースは、それが上記頭上の構造物と直接または懸架部材を使用して機能的に結合されることを可能にする構造を有する。上記直立材及び上記支持構造体インタフェースは、協働して第１の回転軸を画定する案内構造体を有する。上記支持構造体インタフェースは、概して上記第１の回転軸を横断する第２の回転軸を画定するように機能的に結合される第１の部分と第２の部分とを含んでもよく、上記デバイス・インタフェースは、上記支持構造体インタフェースが上記頭上の構造物と固定的に結合されると、上記第１及び第２の回転軸の双方を中心にして別々かつ選択的に移動可能であり、上記第１及び第２の回転軸の何れも、上記デバイス・インタフェースまたは上記デバイス配位調整構造体のどの部分も通って伸張しない。
【０００８】
上記実施形態によれば、上記支持構造体インタフェースは、概して上記第１及び第２の回転軸の双方を横断する第３の回転軸を画定するように、上記第１及び第２の部分に機能的に結合される第３の部分を含んでもよく、上記デバイス・インタフェースは、上記第３の回転軸を中心にして選択的に回転可能である。さらに、上記マウントは、上記デバイス・インタフェースの上記第１、第２または第３の回転軸を中心とする移動に摩擦で抵抗する上記支持構造体インタフェースの上記第１、第２及び第３の部分の任意の１つまたは全てのための単一の選択的調整可能摩擦エレメントを含んでもよい。
【０００９】
本発明の実施形態によれば、上記第１、第２または第３の回転軸の何れか、または全ては、上記プロジェクション・デバイスを通って伸張してもよい。好適には、これらの軸はプロジェクション・デバイスの重心を通って、または近接して伸張し、これにより、プロジェクション・デバイスを各軸に対して平衡させる。このようにして平衡されると、プロジェクション・デバイスは、調整の間、支えなしでその位置を保つことができる。
【００１０】
ある実施形態では、プロジェクション・デバイスを頭上の構造物へ取り付けるためのマウントは、上記プロジェクション・デバイスへ機能的に取付け可能なデバイス・インタフェースと、上記デバイス・インタフェースと機能的に結合されるデバイス配位調整構造体とを含んでもよい。上記デバイス配位調整構造体は、上記デバイス・インタフェースから延設される少なくとも１つの直立材と、上記少なくとも１つの直立材から延設されかつ上記直立材と機能的に結合される第１の部分を有する支持構造体インタフェースとを含んでもよい。上記支持構造体インタフェースは、自らを上記頭上の構造物と固定的に結合されるように適合化する構造を有してもよい。上記直立材及び上記支持構造体インタフェースは、協働して第１の回転軸を画定する構造体を有し、上記デバイス・インタフェースは、上記第１の回転軸を中心にして選択的に移動可能であり、上記第１の回転軸は、上記デバイス・インタフェースまたは上記デバイス配位調整構造体のどの部分も通って伸張しない。
【００１１】
ある実施形態では、構造物の天井へ取り付けるように適合化されるビジュアル・プロジェクション・システムは、プロジェクション・デバイスと、上記プロジェクション・デバイスへ機能的に結合されるデバイス・インタフェースと、上記デバイス・インタフェースへ機能的に結合されるデバイス配位調整構造体とを含む。上記デバイス配位調整構造体は、プロジェクション・デバイスのピッチ調整軸を画定するための手段を含み、上記プロジェクション・デバイスはピッチ調整軸を中心にして選択的に移動可能であり、上記ピッチ調整軸は、デバイス・インタフェースまたはデバイス配位調整構造体のどの部分も通って伸張しない。上記ピッチ調整軸は、プロジェクション・デバイスの重心に近接して伸張してもよい。上記システムはさらに、概してピッチ調整軸を横断するロール調整軸を画定するための手段を含んでもよく、上記プロジェクション・デバイスは、ピッチ及びロール調整軸の双方を中心にして別々かつ選択的に移動可能であり、上記ピッチ及びロール調整軸の何れも、デバイス・インタフェースまたはデバイス配位調整構造体のどの部分も通って伸張しない。ロール調整軸は、プロジェクション・デバイスの重心に近接して伸張してもよい。さらに、上記システムは、概してピッチ及びロール軸の双方を横断するヨー調整軸を画定するための手段を含んでもよく、プロジェクション・デバイスはヨー調整軸を中心にして選択的に回転可能である。また、ヨー調整軸は、プロジェクション・デバイスの重心に近接して伸張してもよい。上記複数の軸の何れか、または全てを中心とする回転に抵抗するために、単一の選択的調整可能摩擦エレメントが使用されてもよい。
【００１２】
本発明のさらなる実施形態では、プロジェクション・デバイスを頭上の構造物へ取り付けるためのマウントは、上記プロジェクション・デバイスへ機能的に取付け可能なデバイス・インタフェースと、上記デバイス・インタフェースと機能的に結合されるデバイス配位調整構造体とを含む。上記デバイス配位調整構造体は、デバイス・インタフェースから延設される少なくとも１つの直立材と、上記直立材から延設されかつ上記直立材と機能的に結合される第１の部分を有する支持構造体インタフェースとを含んでもよい。直立材及び支持構造体インタフェースは、協働して第１の回転軸を画定する案内構造体を有し、デバイス・インタフェースは、第１の回転軸を中心にして選択的に移動可能であり、支持構造体インタフェースの第１の部分は、第１の回転軸を中心にしてデバイス・インタフェースを選択的に移動させるために駆動エレメントと係合可能な第１の複数のギヤ歯を画定する。本発明によれば、上記駆動エレメントは、好適にはプラスのねじ頭を有するねじ廻しであってもよい。
【００１３】
ある実施形態によるマウントの支持構造体インタフェースは第２の部分を含んでもよく、支持構造体インタフェースの第１及び第２の部分は、概して第１の回転軸を横断する第２の回転軸を画定するように、機能的に結合される。デバイス・インタフェースは、支持構造体インタフェースが頭上の構造物と固定的に結合されると、第１及び第２の回転軸の双方を中心にして別々かつ選択的に移動可能であってもよい。支持構造体インタフェースの第２の部分は、デバイス・インタフェースを第２の回転軸を中心にして選択的に移動させるように駆動エレメントと係合可能な第２の複数のギヤ歯を画定してもよい。
【００１４】
さらに、支持構造体インタフェースは、概して第１及び第２の回転軸を横断する第３の回転軸を画定するように、第１及び第２の部分と機能的に結合される第３の部分をさらに含んでもよい。デバイス・インタフェースは、第３の回転軸を中心にして選択的に回転可能であってもよい。支持構造体インタフェースの第３の部分は、デバイス・インタフェースを第３の回転軸を中心にして選択的に回転させるために駆動エレメントに係合可能な第３の複数のギヤ歯を画定してもよい。
【００１５】
さらなる実施形態では、プロジェクション・デバイスを頭上の構造物へ取り付けるためのマウントは、複数のファスナを有するプロジェクション・デバイスへ機能的に取付け可能なデバイス・インタフェースを含む。デバイス・インタフェースは、第１の部分に滑動可能式に配置される第１の部分と第２の部分とを有する。上記第１及び第２の部分は合わせて複数の保持構造体を画定し、各保持構造体は上記複数のファスナの別々の１つを受け入れる。第２の部分は、複数のファスナの各々が保持構造体の別々の１つに受け入れられて保持される第１のラッチ位置と、複数のファスナが保持構造体から自由に外れることのできる第２の非ラッチ位置との間を、第１の部分に対して選択的に滑動可能式に移動することができる。デバイス・インタフェースには、デバイス配位調整構造体が機能的に結合される。デバイス配位調整構造体は、デバイス・インタフェースから延設される少なくとも１つの直立材または離隔された１対の直立材と、上記少なくとも１つの直立材から延設される、または上記離隔された直立材間に延設される支持構造体インタフェースとを含んでもよい。支持構造体インタフェースは、各直立材と機能的に結合される第１の部分を有し、かつ頭上の構造物と固定的に結合されるように適合化される。直立材及び支持構造体インタフェースは、協働して第１の回転軸を画定する案内構造体を有し、デバイス・インタフェースは、第１の回転軸を中心にして選択的に移動可能である。デバイス・インタフェースの第１及び第２の部分は各々、プレート状の構造体であってもよい。複数の保持構造体の各保持構造体は、上記第１の部分のプレート状構造体の周縁における第１のノッチであってもよく、かつ第２の部分のプレート状構造体の周縁における対応する第２のノッチであってもよい。
【００１６】
デバイス・インタフェースには制御装置が機能的に結合され、第２の部分を第１の部分と相対的に移動させるように配置されてもよい。さらに、デバイス・インタフェースにはロック機構が機能的に結合されてもよい。ロック機構は、デバイス・インタフェースの第２の部分が第１の部分と相対的に自由に移動可能である第１のロックされない位置と、ロック機構が第２の部分のラッチ位置から非ラッチ位置へのシフトを抑止する第２のロック位置との間を選択的に移動可能である。ロック機構はキーを受け入れるための構造体を有するロック・シリンダを含んでもよく、ロック構造体はキーによって回転可能であって、ロック機構をロック位置とロックされない位置との間で移動させる。
【００１７】
セキュリティ機能として、上記直立材は、少なくとも１つのファスナでデバイス・インタフェースへ固定されてもよく、プロジェクション・デバイスがデバイス・インタフェースへ取り付けられるとき、上記ファスナへは、取外しのためにアクセスすることができない。また支持構造体インタフェースは第２の部分を含んでもよく、支持構造体インタフェースの第１及び第２の部分は、概して第１の回転軸を横断する第２の回転軸を画定するように機能的に結合され、デバイス・インタフェースは、支持構造体インタフェースが頭上の構造物と固定的に結合されるときに第１及び第２の回転軸の双方を中心にして別々かつ選択的に移動可能である。上記支持構造体インタフェースの第１及び第２の部分を機能的な係合状態で保持するためには、保持構造体が使用されてもよい。この場合もやはり、セキュリティ機能として、保持構造体は少なくとも１つのファスナによって固定されてもよく、プロジェクション・デバイスがデバイス・インタフェースへ取り付けられるとき、上記保持構造体を固定するファスナへは、取外しのためにアクセスすることができない。
【００１８】
本発明の所定の実施形態の特徴及び優位点は、プロジェクション・デバイスのためのマウントが単一の比較的薄型のデバイスにおけるピッチ、ロール及びヨーに関するプロジェクション・デバイスの位置調整を有効化することにある。
【００１９】
本発明の所定の実施形態の特徴及び優位点は、マウントのピッチ、ロール及びヨー調整の各々について、単一の選択的に調整可能な摩擦エレメントが供給され、これにより、所定の軸を中心とする調整の間はこのようなエレメントのみを操作するだけでよいことにある。
【００２０】
本発明の所定の実施形態の特徴及び優位点は、ピッチ、ロール及びヨー軸の何れか、または全てがプロジェクション・デバイスの重心を、または重心に近接して通ってもよく、これにより、プロジェクション・デバイスは平衡化され、かつ調整の間は保持されることなく位置を保つことができるようにされることにある。
【００２１】
本発明の所定の実施形態の特徴及び優位点は、ピッチ、ロール及びヨー軸の何れか、または全てに関する調整を有効化するために、ギヤ式の調整機構が装備されてもよいことにある。上記ギヤ式の調整機構は、プラスのねじ廻し等のねじ廻しを使用する調整を有効化してもよい。
【００２２】
本発明の所定の実施形態の特徴及び優位点は、マウントのデバイス・インタフェースがクイック・ディスコネクト機能を有してもよく、プロジェクション・デバイス上の固定用ボタンはシングルレバー式制御装置によって選択的に係合されかつ解除されることにある。レバー制御装置の認可されていない作動及びプロジェクション・デバイスの取外しを防止するために、キー・ロックが装備されてもよい。
【００２３】
本発明の所定の実施形態の特徴及び優位点は、プロジェクション・デバイスのマウントはプロジェクション・デバイスがマウントに取り付けられていないときにだけ取り外せることにある。この目的に沿って、取外しのための全てのファスナは、取外しのためだけにプロジェクション・デバイスの方向からアクセスできるように位置づけられる。マウントの取外しによってプロジェクション・デバイスを外そうとする認可されていない試みは、こうして阻止される。
【発明を実施するための最良の形態】
【００２４】
添付の諸図面は、本発明によるマウントの実施形態及びその特徴及びコンポーネントを示す。正面／背面、右／左、平面／底面、上部／下部及び水平／垂直の言及は何れも、説明を行う上での便宜的なものであり、本発明及びそのコンポーネントを任意の１つの位置的または空間的方向性に限定しようとするものではない。添付の諸図面及び本明細書に明記されている寸法は何れも、本発明の範囲を逸脱することなく、本発明の実施形態の潜在的設計及び意図される用途に応じて変わってもよい。さらに、図面は、参照を目的として、ｘ−ｙ−ｚ座標軸の相対方向を本発明に応用して表すことがある。本明細書におけるｘ軸方向、ｙ軸方向またはｚ軸方向への動作またはｘ軸、ｙ軸またはｚ軸を中心とする回転の言及は何れも、これらの座標軸に関連する。ｙ軸は取り付けられるデバイスに対して前後方向にあり、ｚ軸はｙ軸に対して直角であり、ｘ軸はｙ軸及びｚ軸に対して垂直かつ取り付けられるデバイスに対して横方向に側面を合わせた方向にある。本出願の目的に沿って、ピッチはｘ軸を中心とする角変位として定義し、ロールはｙ軸を中心とする角変位として定義し、ヨーはｚ軸を中心とする角変位として定義する。
【００２５】
図１から３までに示すように、プロジェクタ・マウント４０は、概して、ベース・アッセンブリ４２の形式のデバイス・インタフェースと、ガイド・アッセンブリ４４、４６を含むデバイス配位調整構造体と、支持構造体インタフェース・アッセンブリ４８の形式の支持構造体インタフェースとを含む。
【００２６】
図８乃至９に示す本発明の実施形態では、ベース・アッセンブリ４２は、概して、ベース・プレート５０と、ロック・プレート５２とを含む。ベース・プレート５０は周縁５６内に、インタフェース・プレート６０へ機能的に取り付けられる、またはデバイス６２へ直に取り付けられる固定用ボタン５８を個々に受け入れるために画定される複数のノッチ５４を有する。各ノッチ５４は、固定用ボタン５８の頭部分６６を収容するサイズの拡大された外側領域６４と、固定用ボタン５８のシャンク部分７０を収容するサイズの内側の溝領域６８とを有する。ベース・プレート５０はさらに、周縁５６から内側に間隔を置いて配置されるスロット７６を画定してもよい。スロット７６は概して鍵穴形状であってもよく、固定用ボタン５８の頭部分６６を一方の端に通して受け入れるための拡大部分７４と、固定用ボタン５８のシャンク部分７０の周りに密に嵌合するサイズであるより狭い溝部分７２とを有する。
【００２７】
ロック・プレート５２はベース・プレート５０の上面７８上に滑動可能式に配置され、ベース・プレート５０のノッチ５４に対応して周縁８２内に画定されるノッチ８０と、スロット７６に対応するスロット８４とを有する。ロック・プレート５２内には、ベース・プレート５０内のファスナ開口８８に対応する細長いスロット８６が画定される。
【００２８】
ロック・レバー９０は概して、半径方向の外側へ延設されるハンドル９４を伴う樽形の部分９２を含む。樽形の部分９２は、中心軸Ａ−Ａからオフセットされる穴９６を画定する。穴９６からは、樽形の部分９２の底側１００を空胴９８が延び、ばね１０２を受け入れる。樽形の部分９２は、ロック・プレート５２内に画定される長円形の開口１０４を通り、底部１００がベース・プレート５０に支えられて受容される。ベース・プレート５０の上面７８からは柱１０６が上向きに延設され、ロック・レバー９０の樽形の部分９２内の穴９６に、ロック・レバー９０が柱１０６を中心にして回転できるように受け入れられる。空胴９８及び柱１０６の裏側１１０にはばね１０２が当たっていて、ロック・レバー９０のその回転行程にバイアスをかける。ロック・レバー９０が回転されると、側面１０７は長円形の開口１０４の周縁１０７ａにもたれ、ロック・プレート５２はベース・プレート５０に対して図８の矢印の方向へ移動されることになり、次いで、ノッチ５４に係合している固定用ボタン５８は両プレート間の相対動作によって型締めされ、または解放される。
【００２９】
図１４ａから１４ｆまでに示すガイド・アッセンブリ４４は、概して、ペデスタル部分１１２と、直立部分１１４とを含む。ペデスタル部分１１２は、概して、離隔された１対の脚１１６、１１８を含み、これらの間にロック・レバー開口１２０が画定される。各脚１１６、１１８は、ガイド・アッセンブリ４４をベース・アッセンブリ４２へ固定するねじ切りされたファスナ１２４を受け入れるために内側にねじ山を有する開口１２２を画定する。開口１２２の両側には、各脚１１６、１１８の底面１２７からスペーサ突起１２６がロック・プレート５２の厚さより僅かに長い距離で延設されて画定される。ガイド・アッセンブリ４４は、ベース・プレート５０内の開口８８及びロック・プレート５２内の細長いスロット８６を通って延びて各脚１１６、１１８内の開口１２２に差し込まれるファスナ１２４により、ベース・プレート５０へ固定される。各スペーサ突起１２６の底面１２８は、ベース・プレート５０の上面７８に、各脚の底面１２７が上面７８からロック・プレート５２の厚さより僅かに長い距離で離隔されてロック・プレート５２が脚１１６、１１８とベース・プレート５０との間で滑動できるように接触する。
【００３０】
直立部分１１４は、上側の溝１３０と、真ん中の案内溝１３２と、下側の溝１３４とを画定する。真ん中の案内溝１３２の裏面１３８からは、摩擦スロット１３６が外面１３９まで貫通して延びる。下側の溝１３４の裏側の壁１４２からは、直立部分１１４を貫通して外面１３９まで調整開口１４０が画定される。脚１１６、１１８の間では、直立部分１１４の内側１４６から内向きにカム・リテーナ・タブ１４４が延設され、ロック・レバー９０の上面１４８に当たってこれを所定位置に保持する。ロック・レバー９０のハンドル９４は、脚１１６、１１８間で外向きに延びる。
【００３１】
図１３ａから１３ｆまでに示すガイド・アッセンブリ４６は、概して、ペデスタル部分１５０と、直立部分１５２とを含む。ガイド・アッセンブリ４４の場合と同様に、ペデスタル部分１５０は、概して１対の脚１５４、１５６を含み、これらは各々、ガイド・アッセンブリ４４をベース・アッセンブリ４２へ固定するねじ切りされたファスナ１２４を受け入れるために内側にねじ山を有する開口１２２を画定する。この場合もやはり、開口１２２の両側には、各脚１５４、１５６の底面１５８からスペーサ突起１２６がロック・プレート５２の厚さより僅かに長い距離で延設されて画定される。ガイド・アッセンブリ４６は、ベース・プレート５０内の開口８８及びロック・プレート５２内の細長いスロット８６を通って延びて各脚１５４、１５６内の開口１２２に差し込まれるファスナ１２４により、ベース・プレート５０へ固定される。各スペーサ突起１２６の底面１２８は、ベース・プレート５０の上面７８に、各脚の底面１５８が上面７８からロック・プレート５２の厚さより僅かに長い距離で離隔されてロック・プレート５２が脚１５４、１５６とベース・プレート５０との間で滑動できるように接触する。
【００３２】
直立部分１５２は、内面１６２にリブ１６０を画定する。リブ１６０の内側の面１６４は、溝１６５の下で内面１６２の面１６６から僅かにオフセットされる。
【００３３】
図１０に分解して示される支持構造体インタフェース・アッセンブリ４８は、概して、外枠１６８と、内枠１７０と、ヨー・カプラ１７２とを含む。外枠１６８は、図１５ａから１５ｆまでに示すように、概して、中央の開口１７８を画定する側面部材１７４、１７６と、端部材１７７ａ及び１７７ｂとを含む。側面部材１７４は、外面１８１上に、穴１８６の両側の溝１８２、１８４を画定する弓形の突出部分１８０を有する。突出部分１８０の底端１９０沿いには、ショルダ１８８が画定される。側面部材１７４内には、突出部分１８０の上下に各々溝１９２、１９４が画定される。溝１９４の下側の壁面１９６は、溝１９４内で上向きに突き出すギヤ歯１９８を画定する。
【００３４】
側面部材１７６は、案内溝２０２を画定する外面２００を有する。外面２００の案内溝２０２より下の部分２０４は、案内溝２０２より上の部分２０６から僅かにオフセットされる。端部材１７７ａ、１７７ｂは各々、内面２１２、２１４に形成される隆起した領域２０８、２１０を有する。隆起した領域２０８、２１０は、隆起した領域２０８、２１０の各々の上下にショルダ２１６、２１８を画定する。端部材１７７ａは外面２１９を有し、貫通する細長いスロット２２０及び調整開口２２２を画定する。
【００３５】
外枠１６８は、弓形の突出部分１８０がガイド・アッセンブリ４４の真ん中の案内溝１３２内に滑動可能式に係合されかつガイド・アッセンブリ４６のリブ１６０が案内溝２０２内に滑動可能式に係合された状態で、ガイド・アッセンブリ４４及び４６間に受け入れられる。これにより、ガイド・アッセンブリ４４、４６及び外枠１６８は合わせて、デバイス６２のピッチ調整用の弓形経路を画定する。摩擦ねじ２２３は摩擦座金２２３ａを受け入れ、摩擦スロット１３６内を伸張し、穴１８６内へ差し込まれる。従って、摩擦座金２２３ａは、摩擦ねじ２２３が締められるとガイド・アッセンブリ４４の外面１３９にもたれ、外枠１６８とガイド・アッセンブリ４４、４６との間の相対的な滑動動作に対する選択可能な量の摩擦抵抗をもたらす。調整開口１４０は、後にさらに詳しく述べるように、ピッチの微調整のためにギヤ歯１９８へのアクセスを有効化すべく溝１９４内へと開く。
【００３６】
内枠１７０は、概して、図１６ａから１６ｇまでに示すように、内側の開口２３２を画定する側壁２２４、２２６と、端壁２２８、２３０とを含む。各側壁２２４、２２６は、内側へ突き出して弓形の内面２３６を画定する案内パッド２３４を有する。側壁２２４は、調整開口２３８と、位置決めねじ開口２４０とを画定する。端壁２２８の外面２４２は、リセス２５０、２５２に沿って底面２５４から上向きに延びる内向きのギヤ歯２４８を有する側面２４６を有する溝２４４を画定する。端壁２２８の内面２５５は、弓形の内面２３６を画定する内側へ突き出す案内パッド２３４を有する。端壁２２８内へは、外面２４２からねじ切りされた穴２５６が伸張する。端壁２３０の外面２５８は、底面２５４から上側へ延設されるリセス２６０、２６２を画定する。底面２５４は、内側の開口２３２の周りに延設されるリセス２６４及び角２６８に近接するねじ切りされた穴２６６を画定する。各端壁２２８、２３０は、上端２６９ａに沿って画定される弓形のリップ２６９を有する。
【００３７】
内枠１７０は、各弓形のリップ２６９の底面２６９ｂが外枠１６８のショルダ２１６に滑動可能式にもたれる状態で外枠１６８の中央の開口１７８内に受け入れられ、これにより、デバイス６２のロール調整用の弓形経路が画定される。摩擦ねじ２６９ｃは摩擦座金２６９ｄを受け入れ、細長いスロット２２０を通って伸張し、ねじ切りされた穴２５６内へ差し込まれる。従って、摩擦座金２６９ｄは、摩擦ねじ２６９ｃが締められると外枠１６８の外面２１９にもたれ、外枠１６８と内枠１７０との間の相対的な滑動動作に対する選択可能な量の摩擦抵抗をもたらす。調整開口２２２は、後にさらに詳しく述べるように、ロールの微調整のためにギヤ歯２４８へのアクセスを有効化すべく溝２４４内へと開く。
【００３８】
図１７ａから１７ｇまでに示すヨー・カプラ１７２は、概して、樽形の部分２７０と、フランジ部分２７２とを含む。樽形の部分２７０は、中央の穴２７４と、複数の開口２７６とを画定し、上記複数の開口２７６は、本発明の一実施形態では、中央の穴２７４を包囲して等間隔に離隔される。位置決めねじ開口２７８は、樽形の部分２７０を通って外面２８０から中央の穴２７４の内側の表面２８２まで延設され、かつ位置決めねじ２８４を受け入れるためにねじ切りされる。ブロック用ねじ穴２８６は、底面３２８から延設されて位置決めねじ開口２７８を横断する。また、ブロック用ねじ穴２８６は、位置決めねじ２８４へのアクセスを阻止するブロック用ねじ２９０を受け入れるためにねじ切りもされる。表面２８２は、後に詳述するように、パイプ支持円柱２９１を受け入れるためにねじ切りされてもよい。
【００３９】
フランジ部分２７２は、概して、エプロン部分２９２と、保持部分２９４とを含む。図に示すように、エプロン部分２９２は保持部分２９４よりも僅かに上昇され、開口２７６を包囲する複数のボス２９６間に延設される。エプロン部分２９２の少なくとも一部分には、ギヤ歯２９８が形成される。
【００４０】
図１８ａ乃至１８ｂに示すベアリング・プレート３００は、開口３０４を画定する中心部３０２と、各々が弓形の頂面３０８を有する反対側の両案内壁３０６とを含む。ベアリング・プレート３００の各角には、上側へ突き出す位置決めタブ３１０が形成される。リテーナ・プレート３１２は、中央の開口３１４と、各角におけるファスナ穴３１６とを画定する。
【００４１】
ベアリング・プレート３００は、内枠１７０の底面２５４上へ、各位置決めタブ３１０はリセス２５０、２５２、２６０、２６２に係合しかつ弓形の頂面３０８が外枠１６８のショルダ２１８に係合する状態で受け入れられる。ヨー・カプラ１７２は、内枠１７０の内側の開口２３２内に、案内パッド２３４の弓形の内面２３６が樽形の部分２７０の外面２８０に突き合わされてこれを案内する状態で受け入れられる。ベアリング・プレート３００における開口３０４の内面３１８は、エプロン部分２９２の外面３２０に直面する。フランジ部分２７２の上面３２２は、ベアリング・プレート３００の底面３２４に直面する。リテーナ・プレート３１２は内枠１７０の底部に固定され、かつねじ切りされた穴２６６へ差し込まれるファスナ３２６で所定位置に固定される。ヨー・カプラ１７２の底面３２８はリテーナ・プレート３１２の上面３３０にもたれ、フランジ部分２７２の保持部分２９４は、リテーナ・プレート３１２とベアリング・プレート３００との間で滑動式に受け入れられる。従って、ヨー・カプラ１７２は、デバイス６２のヨー調整を有効化すべく内枠内で選択的に回転可能である。
【００４２】
位置決めねじ３３２は位置決めねじ開口２４０内へ入り、ヨー・カプラ１７２の外面２８０に接触する。位置決めねじ３３２が締められると、ヨー・カプラ１７２は、内枠１７０内の特定の所望される回転位置で固定されてもよい。調整開口２３８は、後に詳述するように、ヨーの微調整を有効化すべくギヤ歯２９８上で開く。位置決めねじ３３２の代替として、ヨー・カプラ１７２の外面２８０との結合を避けること、またはより大きいパーチェスを供給することが望ましければ、外面２８０より柔らかい材料で製造されるスラグ（図示されていない）が外面２８０に接触するように位置決めねじ開口２４０へ挿入されてもよい。次いでスラグは、位置決めねじ開口２４０へ差し込まれるファスナによって外面２８０に押しつけられてもよい。
【００４３】
図２９から３４までに示す本発明の代替実施形態では、ベース・アッセンブリ４２０は単一のベース・プレート４００を含む。ベース・プレート４００は周縁４０４内に、インタフェース・プレート６０へ機能的に取り付けられる、またはデバイス６２へ直に取り付けられる固定用ボタン５８を個々に受け入れるために画定される複数のノッチ４０２を有する。各ノッチ４０２は、固定用ボタン５８の頭部分６６を収容するサイズの拡大された外側領域４０６と、固定用ボタン５８のシャンク部分７０を収容するサイズの内側の溝領域４０８とを有する。ベース・プレート４００はさらに、周縁４０４から内側に間隔を置いて配置されるスロット４１０を画定してもよい。スロット４１０は概して鍵穴形状であってもよく、固定用ボタン５８の頭部分６６を一方の端に通して受け入れるための拡大部分４１２と、固定用ボタン５８のシャンク部分７０の周りに密に嵌合するサイズであるより狭い溝部分４１４とを有する。
【００４４】
ベース・プレート４００はさらに、ガイド・アッセンブリ４４、４６を頂部側面４２０へ固定するファスナ４１８を受け入れるためのファスナ開口４１６を画定する。各開口４１６の両側には、各ガイド・アッセンブリ４４、４６の底面が頂部側面４２０と同一平面で嵌合できるようにガイド・アッセンブリ４４、４６のスペーサ突起１２６を受け入れるための開口４２２が配置される。
【００４５】
図３５から４１までに示す本発明の別の代替実施形態では、ベース・アッセンブリ４２は、単一の直立材４２４によって支持構造体インタフェース・アッセンブリ４８へ結合される。図示された実施形態では、直立材４２４は、案内スロット４２８の形式の上部保持構造体４２６と、案内スロット４３２の形式の下部保持構造体４３０とを画定する。案内スロット４２８の下側の壁４３４は、上記スロット内を長手方向へ延設される隆起部分４３６を有する。案内スロット４２８内にはスライド・ブロック４３８が滑動可能式に配置され、ピン４４０で外枠１６８へ固定される。スライド・ブロック４３８の下面４４２は、スライド・ブロック４３８を案内スロット４２８内で横方向に保持するように、隆起部分４３６の形に合わせて成形される。ピン４４０は、選択的な摩擦調整を有効化すべく外枠１６８へ差し込まれるファスナ（図示されていない）に交換されてもよいことは認識されるであろう。案内スロット４３２は、外周リブ４４４を画定する。案内車４４６は、その外周の周りに延設される溝４４８を有し、かつ外枠１６８へ回転可能式に取り付けられる。外周リブ４４４は溝４４８内に受け入れられ、よって、案内車４４６は案内スロット４３２内に保持される。従って、支持構造体インタフェース・アッセンブリ４８は、案内スロット４２８内のスライド・ブロック４３８と、案内スロット４３２内の案内車４４６との結合により、直立材４２４と滑動可能式に係合されて保持される。この場合も、直立材４２４及び付着される任意のデバイス６２を伴うベース・アッセンブリ４２は、案内スロット４２８、４３２の曲率中心において画定されるピッチ調整軸ｘ−ｘを中心として選択的に移動可能である。直立材４２４は、１対の離隔された脚４４８、４５０によってベース・アッセンブリ４２へ結合される。
【００４６】
デバイス６２を天井アッセンブリ５００へ取り付けるためには、ねじ切りされたパイプ・ハンガ５０４の形式の懸架部材５０２等の支持構造体が、任意の適切な方法で天井アッセンブリ５００へ固定されてもよい。図２４に示すように、天井アッセンブリ５００は、トラス、Ｉビーム、木製のジョイントまたは他の任意のこのような支持部材である場合もある、平行な構造部材５０６を含む建物の床／天井または屋根アッセンブリであってもよい。平行な構造部材５０６には、橋渡しをする１対の溝５０８が隣接して位置づけられ、所定の位置に固定または溶接される。次に、溝５０８へは、ハンガ・ブラケット５１２が固定または溶接されてもよい。ハンガ・ブラケット５１２は、プレート部分５１４と、下向きになるように位置づけられるパイプ・ニップル５１６とを有する。ねじ切りされたパイプ・ハンガ５０４の一方の端５１８は、パイプ・ニップル５１６にねじ込まれる。ねじ切りされたパイプ・ハンガ５０４の他端５２０は、ヨー・カプラ１７２の中央の穴２７４へねじ込まれ、よってデバイス６２はねじ切りされたパイプ・ハンガ５０４によって天井アッセンブリから吊される。次に、ヨー・カプラ１７２をねじ切りされたパイプ・ハンガ５０４上の所定の位置に固定するために、位置決めねじ２８４がきつく締められる。位置決めねじ２８４が完全に締まると、ブロック用ねじ２９０が下からブロック用ねじ穴２８６内へ差し込まれ、ベース・プレート５０内の開口５２２及びロック・プレート５２内の開口５２４を介して上向きに挿入されるねじ廻しによって締められてもよい。効果的には、ブロック用ねじ２９０は位置決めねじ２８４へのアクセスを防止し、これにより、デバイス６２を無許可で取り外す手段としてこれが緩められる、または取り外されることを防止する。さらに、ブロック用ねじ２９０へのアクセスは下からに限定されることから、デバイス６２が取り付けられると、緩めたり取り外したりするためにアクセスすることはできない。
【００４７】
セキュリティを目的として、パイプ・ハンガ５０４は、ねじ穴５２８を介して挿入されるいたずら防止位置決めねじ５２６によってパイプ・ニップル５１６内に固定されてもよい。本出願の目的に沿って、ファスナに関連する「いたずら防止」という用語は、ファスナの取付け／取外しのためのツールのコーディングに一致するコーディングを有するファスナを意味する。ファスナは、概して上記ツールのみを使用する一般的な手段によって取り外すことができるが、一般人は概して上記ツールを入手することができない。いたずら防止ファスナの例は、先に参照により援用した米国特許出願第１０／８２１，６５９号に開示されている。或いは、特に、パイプ・ハンガ５０４の構造上の接続が懸架式天井等の隠蔽式の構造体より上にある場合、パイプ・ハンガ５０４は溶接によって、またはパイプ・ハンガ５０４とパイプ・ニップル５１６とのねじ切りされた連接部を介して穿孔された穴５３２を通って挿入されるファスナ５３０によってパイプ・ニップル５１６へ固定されてもよい。
【００４８】
パイプ懸架部材の代替として、図２５から２７までに示すように、ロッド・ハンガ５３４の形式の複数の懸架部材５０２がマウント４０の懸架に使用されてもよい。この場合も、平行する構造部材５１０を橋渡しする溝５０８が配置される。溝５０８は、各ロッド・ハンガ５３４の端５３８を受け入れるための開口５３６を有する。ロッド・ハンガ５３４は、ねじ切りされたロッド・ストックから形成されてもよい。各ロッド・ハンガ５３４は、頂部側面ナット５４０及び底側のジャム・ナット５４２で溝５０８へ取り付けられる。各ロッド・ハンガ５３４の他端５４４は、ヨー・カプラ１７２内の開口２７６の１つを通って進む。底側のナット５４２及び頂部側面ジャム・ナット５４０は、ロッド・ハンガ５３４を各開口２７６内に固定する。当然ながら、上記連接にセキュリティ及び盗難防止策を施すために、頂部側面ナット５４０または底側のナット５４２にいたずら防止スパナ・ナットまたは他の任意タイプのいたずら防止ナットを使用してもよいことは認識されるであろう。
【００４９】
マウント４０が天井アッセンブリへ固定されると、デバイス６２を取り付けてもよい。本発明の一実施形態では、インタフェース・プレート６０は、いたずら防止ファスナであってもよい適切なファスナを使用してデバイス６２へ取り付けられる。或いは、固定用ボタン５８は、ベース・プレート５０におけるノッチ５４とスロット７６に一致する配置でデバイス６２へ直に取り付けられてもよい。好適には、各固定用ボタン５８はのど部分５４６と、頭部分５４８とを有し、両者間にテーパ領域５５０が延設される。固定用ボタン５８は、固定用ボタン５８内に下から画定される穴５５４へ差し込まれるファスナ５５２によってインタフェース・プレート６０またはデバイス６２へ固定されてもよい。注目すべきことに、ファスナ５５２へは、緩める、または取り外すために下のインタフェース・プレート６０から、またはデバイス６２においてのみアクセスすることができ、よってデバイス６２がマウント４０へ結合されると、固定用ボタン５８を、デバイス６２の許可されていない取外しの手段として緩める、または取り外すことはできない。さらに、ファスナ５５２は、緩めることや取外しの防止をさらに強化するために、溶接またはＬｏｃｔｉｔｅ（登録商標）等の接着剤によって固定用ボタン５８へ固定されてもよい。
【００５０】
図１から２８までに示す実施形態では、ロック・レバー９０はその非ラッチ位置へと移動され、ロック・プレート５２は、ベース・プレート５０内のノッチ５４の位置が概してロック・プレート５２内のノッチ８０に合うように移動される。次に、ベース・プレート５０は、各ノッチ５４の拡大された外側領域６４が固定用ボタン５８の１つに隣接し、かつ対応する固定用ボタン５８がスロット７６の拡大部分７４を介して延設される状態で位置づけられる。マウント４０は、各固定用ボタン５８ののど部分５４６がノッチ５４の内側の溝領域６８に、またはスロット７６の溝部分７２に受け入れられるように、この位置から手動で移動されてもよい。頭部分５４８は溝領域６８及び溝部分７２より大きく、これにより、ベース・プレート５０が固定用ボタン５８に対して軸方向へ引っ張られることが防止される。
【００５１】
次に、ロック・レバー９０がラッチ位置へ移動され、ロック・プレート５２は、ノッチ８０の端が固定用ボタン５８に接触するように移動される。テーパ領域５５０は、ロック・プレート５２の接点を下方へ、固定用ボタンののど部分５４６へ方向づける。好適には、各固定用ボタン５８ののど部分５４６は、その長さがベース・プレート５０とロック・プレート５２の合計厚さに等しい、または僅かに少ないようなサイズにされる。ロック・レバー９０がラッチされると、ロック・プレート５２はテーパ領域５５０に接触するため、各ノッチ８０の端はこれに沿って下方へ滑動し、ベース・プレート５０及びロック・プレート５２を共に押しつける。ロック・プレート５２がその最終位置に達すると、ロック・プレート５２及びベース・プレート５０はインタフェース・プレート６０またはデバイス６２と頭部分５４８との間へしっかりと型締めされ、固定用ボタン５８はノッチ５４及び対応するノッチ８０内に固定されて、インタフェース・プレート６０及び／またはデバイス６２に対するベース・アッセンブリ４２の移動が防止される。マウント４０に対するデバイス６２の位置づけは、ベース・アッセンブリ４２と固定用ボタン５８とのインタフェースに自由な遊びがないことから、概して極めて精確である。さらに、この精確な位置づけは、マウント４０がデバイス６２から外されて後に取り付け直される場合でも、概して維持される。さらに、デバイス６２は、ロック・レバー９０を移動してデバイス・インタフェースとデバイス６２とを係合または離すだけで、マウント４０との迅速かつ容易な脱着を行うことができる。
【００５２】
本発明の実施形態では、マウント４０は、ロック・レバー９０をラッチ位置にロックするためのキー・ロック・アッセンブリ５５２を装備してもよい。図２０から２１に示すように、キー・ロック・アッセンブリ５５２は概して、ロック・バレル５５４と、ハウジング５５６と、ハウジング・ナット５５８と、ロック・シリンダ５６０と、バレル・ファスナ５６２と、ロック・スライド５６４と、ロック・シリンダ５６０に一致しかつロック・シリンダ５６０を作動させるように適合化されるキー５６５とを含む。ハウジング５５６は、開端５６８が外向きの状態でガイド・アッセンブリ４４内に画定されるロック開口５６６を介して受け入れられ、ガイド・アッセンブリ４４の内側１４６にもたれるハウジング・ナット５５８で所定の位置に固定される。ロック・バレル５５４は開口５７２を画定する側壁５７０を有し、ハウジング５５６の動作可能部分５７４へバレル・ファスナ５６２で固定される。ロック・シリンダ５６０はハウジング５５６の開端５６８に受け入れられ、ロック・シリンダ５６０がキー５６５により作動されると、ロック・バレル５５４が共に回転されるように動作可能部分５７４と機能的に結合される。ロック・スライド５６４は概してＬ字形であり、ボルト部分５７６と、そこから概して垂直に延設されるキャッチ部分５７８とを有する。ロック・スライド５６４は、ロック・スライド５６４がガイド・アッセンブリ４４とロック・プレート５２との間に滑動可能式に配置されるように、脚１１６の底面１２７に画定されるリセス５８０に受け入れられる。ボルト部分５７６の遠位端５８２はロック・レバー９０に近接して位置づけられ、キャッチ部分５７８は上向きに延設されてロック・バレル５５４の開口５７２に受け入れられる。
【００５３】
動作中、ロック・レバー９０がラッチ位置にある状態では、キー５６５は、ロック・バレル５５４をガイド・アッセンブリ４４の側から見て反時計方向へ回転させるために回転されてもよく、これにより、開口５７２の後縁５８４は、遠位端５８２がロック・レバー９０と接触した状態になるようにロック・スライド５５４を押す。この位置では、ロック・スライド５５４はロック・レバー９０の回転を防止し、これにより、ロック・レバー９０は非ラッチ位置へ移動しないように防止される。キー５６５は、上記アッセンブリをこの位置に固定するために外されてもよい。さらに、セキュリティ機能として、ロック・レバー９０のハンドル９４は、このロック機構を打ち負かそうとして過度の力が使用されると折れるように製造されてもよく、こうして本設備に追加のセキュリティがもたらされる。
【００５４】
デバイス６２をマウント４０から外したいときは、キー５６５をロック・シリンダ５６０内に挿入して、ロック・バレル５５４を時計方向に回転させることができ、開口５７２の前縁５８６は、遠位端５８２がロック・レバー９０から遠位へ引っ張られるようにロック・スライド５５４を引っ張り、これが非ラッチ位置まで回転できるようにする。
【００５５】
注目すべきことに、マウント４０を分解または取り外すために外されなければならない全てのファスナ、即ち１２４、２９０及び３２６へは、取外しのために、マウントの下からのみ、デバイス６２が取り付けてあればデバイス６２の方向へアクセスすることができる。従って、マウント４０は、マウント４０を分解または取り外すことでデバイス６２を取り外そうとする許可されていない試みに対して防御されている。従って、先に開示したロック機能と相まって、マウント４０の盗難は防止されている。
【００５６】
デバイス６２がマウント４０へ取り付けられると、マウントのピッチ、ロール及びヨー調整は、デバイス６２を所望される通り精確に向けるべく操作されてもよい。例えば、デバイス６２がプロジェクタであれば、プロジェクタの光ビームは、重複したり使用されないスクリーン部分がなくスクリーンがカバーされるように、マウント調整を使用して精確に配向されてもよい。また、デバイス・インタフェース４２のインタフェースにより固定用ボタン５８を使用してもたらされる自動的な位置合わせのし直しは、プロジェクタが上述のクイック・リリース式デバイス・インタフェース４２を使用してマウント４０から外されて再度取り付けられる場合でも、これらの調整が維持されることを保証する。
【００５７】
マウント４０は、外枠１６８に対するガイド・アッセンブリ４４，４６の滑動動作によるデバイス６２のピッチ調整、外枠１６８に対する内枠１７０の滑動動作によるデバイス６２のロール調整及び内枠１７０内のヨー・カプラ１７２の回転滑動動作によるデバイス６２のヨー調整を有効化する。本発明の実施形態では、マウント４０の各ピッチ、ロール及びヨー調整は、選択的な量の摩擦抵抗調整を適用するための、または調整を所望される特定の位置で固定するための単一の摩擦部材を有する。摩擦ねじ２２３は摩擦座金２２３ａと共に、選択的な量の摩擦抵抗がピッチ調整に抵抗すべく適用されることを有効化し、摩擦ねじ２６９ｃ及び摩擦座金２６９ｄは、選択的な量の摩擦抵抗がロール調整に抵抗すべく適用されることを有効化し、かつ位置決めねじ３３２は、所望されるデバイスのヨー位置におけるヨー・カプラ１７２の固定を有効化する。各調整を固定するための単一の摩擦部材は、所望される調整を行うために緩めたり締めたりするファスナが１つだけでよい点で、迅速かつ容易な調整を有効化する。
【００５８】
粗調整の場合には、適切な摩擦ねじをコンポーネントの相互動作を有効化するに足るだけ緩め、プロジェクタまたはデバイスを望み通りに位置づけかつその摩擦ねじを締めて調整を所定の位置に固定するだけでよい。例えば、プロジェクタのピッチを調整するためには、摩擦ねじ２２３が、ガイド・アッセンブリ４４，４６と外枠１６８との間の移動を有効化するに足る量だけ緩められる。次に、プロジェクタが所望されるピッチで位置づけられ、摩擦ねじ２２３が締め直される。ロール及びヨーの粗調整は、各々摩擦ねじ２６９ｃ及び位置決めねじ３３２を操作することによって同じ方法で進行する。
【００５９】
本発明の実施形態では、マウント４０のピッチ、ロール及びヨー調整の微調整能力は、様々なコンポーネント上にラック配置で形成される列ギヤ歯によってもたらされる。好適には、ギヤ歯は、例えば規格２番のプラスのねじ頭を有する規格プラスねじ廻しの頭の形式の駆動エレメントと咬み合うようにカットされる。これらの実施形態では、プラスのねじ廻しは、コンポーネントを平行移動させる手段を供給するためにコンポーネント上に形成されるラックと咬み合うピニオンとして機能する。精確な歯カットがねじ廻しの先端刃とギヤ歯との間に比較的近い許容差をもたらすことにより、かつギヤの配置自体がもたらす固有の機械的優位点と相まって、極めて小規模かつ精確な調整が可能である。
【００６０】
駆動エレメントは、本発明の範囲内で他の様々な形態をとってもよいことは認識されるであろう。例えば、ギヤ歯は、星形またはＴｏｒｘ（登録商標）の頭、または直刃ねじ廻しの頭等の他のファスナ駆動ツールと咬み合うようにカットされてもよい。さらに、駆動エレメントとマウントとを一体化することが望ましい場合は、インボリュート歯を有する従来のギヤが、図１０ａに示すもの等のインボリュート歯に合わせてカットされる上述のようなラック構造体と咬み合わされてもよい。このような実施形態では、ギヤ３４０がガイド・アッセンブリ４４の溝１９４内に受け入れられ、かつギヤ歯１９８と咬み合う歯３４２を有する。ギヤ３４０は、キー・スロット３４６を有する中央の開口３４４を画定する。サムノブ３４８は、樽形の部分３８０と、ノブ部分３５２とを有する。キー３５４は、樽形の部分３８０の片側に沿って画定される。樽形の部分３８０は調整開口１４０を介して伸張し、ギヤ３４０をサムノブ３４８で回転式にロックするために、キー・スロット３４６内に係合されるキー３５４により中央の開口３４４内に受け入れられる。動作中、ユーザによるサムノブ３４８の回転に伴って、ギヤ３４０は溝１９４内を平行移動し、これにより、案内構造体４４は、既に述べたように案内構造体に沿って外枠１６８と相対的に移動される。本明細書に開示されている任意のギヤ配置は、類似の配置と共用されてもよく、従来のギヤは、マウントの外側の調整ノブに機能的に連結されて溝１９４、２４４内に、またはヨー・カプラ１７２のエプロン部分２９６より上に配置されてもよいことは認識されるであろう。
【００６１】
ピッチの微調整のためには、摩擦ねじ２２３がまず僅かに緩められ、ねじ廻しのシャフト３３４は、頭３３６が外枠１６８の溝１９４内でギヤ歯１９８と咬み合うように調整開口１４０を介して挿入される。ねじ廻しが回転されると、シャフト３３４は調整開口１４０の側面にもたれてガイド・アッセンブリ４４に対するねじ廻しの位置を固定し、一方で頭３３６の回転はギヤ歯１９８を平行移動させ、これにより、外枠１６８はガイド・アッセンブリ４４、４６及び外枠１６８により画定される弓形の行程路に沿って滑動され、デバイス６２が概してｘ軸を中心にして回転される。所望されるピッチに到達すると、摩擦ねじ２２３は締め直され、調整が所定の位置に固定される。
【００６２】
ロールの微調整は、まず、摩擦ねじ２６９ｃを緩め、ねじ廻しのシャフト３３４を頭３３６が内枠１７０の溝２４６内でギヤ歯２４８と咬み合うように調整開口２２２を介して挿入することによって達成される。ねじ廻しが回転されると、シャフト３３４は調整開口２２２の側面にもたれて外枠１６８に対するねじ廻しの位置を固定し、一方で頭３３６の回転はギヤ歯２４８を平行移動させ、これにより、内枠１７０は内枠１７０及び外枠１６８により画定される弓形の行程路に沿って滑動され、デバイス６２が概してｙ軸を中心にして回転される。所望されるロール位置に到達すると、摩擦ねじ２６９ｃは締め直され、調整が所定の位置に固定される。
【００６３】
ヨーの微調整は、まず、位置決めねじ３３２を緩め、ねじ廻しのシャフト３３４を頭３３６がヨー・カプラ１７２上のギヤ歯２９８と咬み合うように調整開口２３８を介して挿入することによって達成される。ねじ廻しが回転されると、シャフト３３４は調整開口２３８の側面にもたれて内枠１７０に対するねじ廻しの位置を固定し、一方で頭３３６の回転はギヤ歯２９８を平行移動させ、これにより、ヨー・カプラ１７２は内枠１７０と相対的に回転され、デバイス６２が概してｚ軸を中心にして回転される。所望されるヨー位置に到達すると、位置決めねじ３３２は締め直され、調整が所定の位置に固定される。
【００６４】
本発明の実施形態では、調整の容易さが、デバイス６２を、ピッチ、ロール及びヨー軸のうちの１つまたはそれ以上がデバイス６２の重心を直に通って、または近接して伸張するようにマウント４０へ取り付けることによってさらに促進される。特に、ピッチ及びロール軸の場合、このような位置づけは、デバイスを、その重量がデバイスを個々の調整軸を中心にして回転させかつこれにより調整の容易さ及び精度に影響が及ぶことのないように平衡させるという優位点をもたらす。例えば、デバイス６２は、ガイド・アッセンブリ４４、４６及び外枠１６８により画定される弓形の行程路の曲率半径の中心に画定されるピッチ軸（図面ではｘ軸）がデバイス６２の重心（図２７乃至２８ではＣ．Ｇ．と記されている）を通って、またはこれに近接して伸張するようにマウント４０へ取り付けられてもよい。このようにしてデバイス６２が位置づけられると、その重心を介して作用するデバイス６２の重量は平衡され、ピッチ軸を中心とする何れの回転方向へもデバイス６２の回転をバイアスしない。ピッチ調整を有効化するために摩擦ねじ２２３が緩められると、デバイス６２は、手動で位置づけられるまで何れの方向へも回転しない。従って、調整を行う者は、先行技術のマウントの場合のようにデバイスを所望される位置に保持する必要がない。
【００６５】
ピッチ、ロール及びヨー軸は、マウント４０より下の共通点で交わる。好適には、固定用ボタン５８は、これらの軸の交点がデバイス６２の重心に一致する、または近接するようにデバイス６２上へ位置づけられる。
【００６６】
当然ながら、本発明による他の実施形態では、ピッチ、ロール及びヨー軸のうちの２つだけが交わってもよく、全く交わらない場合もあることは認識されるであろう。このような実施形態では、上述の恩恵を達成するために、依然として任意の１つまたはそれ以上の軸が取り付けられるデバイスの重心に近接して位置づけられてもよい。
【００６７】
さらに、本明細書では、本発明によるマウント４０を天井に取り付けられる支持部材から垂れ下がるものとして説明しているが、本マウントが反転されて、床または地面に載っている、または設置される支持部材へ取り付けられてもよいことは認識されるであろう。さらに、プロジェクション・デバイスに加えて、本発明によるマウント４０は、位置の調整可能性が所望される任意のデバイスを取り付けるために使用されてもよい。例えば、マウント４０は、天井、床または他の構造体からのモニタ、テレビ、スピーカまたはディスプレイ等のデバイスを取り付けるために使用されてもよい。
【図面の簡単な説明】
【００６８】
【図１】デバイスを懸架構造体と結合させる、本発明の一実施形態によるマウントを示す斜視図である。
【図２】本発明の一実施形態によるマウント及びインタフェース・プレートを示す斜視図である。
【図３】本発明の一実施形態によるマウントを示す斜視図である。
【図４】本発明の一実施形態によるマウントを示す平面図である。
【図５】図４の断面５−５から見た斜視断面図である。
【図６】図４の断面６−６から見た斜視断面図である。
【図７】ベース・プレート・アッセンブリを外した状態の図４のマウントを示す底面図である。
【図８】図４のマウントのベース・アッセンブリを示す平面図である。
【図９】図４のマウントのベース・アッセンブリ及びガイド・アッセンブリを示す分解斜視図である。
【図１０】図４のマウントの支持構造体インタフェースを示す分解斜視図である。
【図１０ａ】本発明の一実施形態によるマウントの案内構造体及び外枠を示す部分分解斜視図であり、上記マウントは一体式のギヤ調整アッセンブリを有する。
【図１１】図４のマウントを示す斜視図であり、ガイド・アッセンブリは支持構造体インタフェースを明示するために幻影で示されている。
【図１２】図４のマウントを示す斜視図であり、支持構造体インタフェースの外枠は内枠を明示するために幻影で示されている。
【図１３ａ】本発明の一実施形態によるマウントのガイド・アッセンブリの１つを示す背面斜視図である。
【図１３ｂ】図１３ａのガイド・アッセンブリを示す正面斜視図である。
【図１３ｃ】図１３ａのガイド・アッセンブリを示す底面図である。
【図１３ｄ】図１３ａのガイド・アッセンブリを示す正面図である。
【図１３ｅ】図１３ａのガイド・アッセンブリを示す側面図である。
【図１３ｆ】図１３ａのガイド・アッセンブリを示す背面図である。
【図１４ａ】本発明の一実施形態によるマウントの別のガイド・アッセンブリを示す背面斜視図である。
【図１４ｂ】図１４ａのガイド・アッセンブリを示す正面斜視図である。
【図１４ｃ】図１４ａのガイド・アッセンブリを示す底面図である。
【図１４ｄ】図１４ａのガイド・アッセンブリを示す正面図である。
【図１４ｅ】図１４ａのガイド・アッセンブリを示す側面図である。
【図１４ｆ】図１４ａのガイド・アッセンブリを示す背面図である。
【図１５ａ】本発明の一実施形態によるマウントの支持構造体インタフェースの外枠を示す斜視図である。
【図１５ｂ】図１５ａの外枠を示す反対側の斜視図である。
【図１５ｃ】図１５ａの外枠を示す側面図である。
【図１５ｄ】図１５ａの外枠を示す反対側の側面図である。
【図１５ｅ】図１５ａの外枠を示す正面図である。
【図１５ｆ】図１５ａの外枠を示す背面図である。
【図１６ａ】本発明の一実施形態によるマウントの支持構造体インタフェースの内枠を示す斜視図である。
【図１６ｂ】図１６ａの内枠を示す反対側の斜視図である。
【図１６ｃ】図１６ａの内枠を示す底面図である。
【図１６ｄ】図１６ａの内枠を示す正面図である。
【図１６ｅ】図１６ａの内枠を示す側面図である。
【図１６ｆ】図１６ａの内枠を示す反対側の側面図である。
【図１６ｇ】図１６ａの内枠を示す背面図である。
【図１７ａ】本発明の一実施形態によるマウントの支持構造体インタフェースのヨー・カプラを示す斜視図である。
【図１７ｂ】図１７ａのヨー・カプラを示す反対側の斜視図である。
【図１７ｃ】図１７ａのヨー・カプラを示す平面図である。
【図１７ｄ】図１７ａのヨー・カプラを示す側面図である。
【図１７ｅ】反対側から見た図１７ａのヨー・カプラを示す側面図である。
【図１７ｆ】図１７ａのヨー・カプラを示す別の側面図である。
【図１７ｇ】反対側から見た図１７ｆのヨー・カプラを示す側面図である。
【図１８ａ】本発明の一実施形態によるマウントの支持構造体インタフェースのベース・プレートを示す斜視図である。
【図１８ｂ】図１８ａのベース・プレートを示す反対側の斜視図である。
【図１９】本発明の一実施形態によるマウントの支持構造体インタフェースのリテーナ・プレートを示す斜視図である。
【図２０】本発明の一実施形態によるマウントのキー・ロック・アッセンブリを示す分解斜視図である。
【図２１】本発明の一実施形態によるマウントのラッチ・ボルトを示す斜視図である。
【図２２】ガイド・アッセンブリを幻影で描いた本発明の一実施形態によるマウントの側面図である。
【図２３】ベース・アッセンブリのコンポーネントを幻影で描いた、固定用ボタンを伴う本発明の一実施形態によるマウントのベース・アッセンブリのインタフェースを示す部分側面図である。
【図２４】本発明による、懸架部材を天井アッセンブリへ取り付けるためのマウントを示す斜視図である。
【図２５】デバイスと天井アッセンブリとを結合する本発明によるマウントを示す側面図である。
【図２６】デバイスと天井アッセンブリとを結合する本発明によるマウントを示す正面図である。
【図２７】デバイスと天井アッセンブリとを結合する本発明によるマウントを示す側面図であり、デバイスの回転軸とデバイスの重心との関係を描いている。
【図２８】デバイスと天井アッセンブリとを結合する本発明によるマウントを示す正面図であり、デバイスの回転軸とデバイスの重心との関係を描いている。
【図２９】本発明によるマウントの代替実施形態を示す側面図である。
【図３０】図２９に示すマウントの反対側の側面図である。
【図３１】図２９に示すマウントの背面図である。
【図３２】図２９に示すマウントの正面図である。
【図３３】図２９に示すマウントの斜視図である。
【図３４】図２９に示すマウントの底面図である。
【図３５】本発明によるマウントの代替実施形態を示す斜視図である。
【図３６】図３５に示すマウントの正面図である。
【図３７】図３５に示すマウントの側面図である。
【図３８】図３５に示すマウントを反対の角度から見た斜視図である。
【図３９】図３５に示すマウントの平面図である。
【図４０】ベース・アッセンブリが非ラッチ位置にある状態を描いた図３５のマウントの平面図である。
【図４１】ベース・アッセンブリがラッチ位置にある状態を描いた図３５のマウントの平面図である。
【図１】
2008003572.tif 000003
【図２】
2008003572.tif 000004
【図３】
2008003572.tif 000005
【図４】
2008003572.tif 000006
【図５】
2008003572.tif 000007
【図６】
2008003572.tif 000008
【図７】
2008003572.tif 000009
【図８】
2008003572.tif 000010
【図９】
2008003572.tif 000011
【図１０】
2008003572.tif 000012
【図１０ａ】
2008003572.tif 000013
【図１１】
2008003572.tif 000014
【図１２】
2008003572.tif 000015
【図１３ａ】
2008003572.tif 000016
【図１３ｂ】
2008003572.tif 000017
【図１３ｃ】
2008003572.tif 000018
【図１３ｄ】
2008003572.tif 000019
【図１３ｅ】
2008003572.tif 000020
【図１３ｆ】
2008003572.tif 000021
【図１４ａ】
2008003572.tif 000022
【図１４ｂ】
2008003572.tif 000023
【図１４ｃ】
2008003572.tif 000024
【図１４ｄ】
2008003572.tif 000025
【図１４ｅ】
2008003572.tif 000026
【図１４ｆ】
2008003572.tif 000027
【図１５ａ】
2008003572.tif 000028
【図１５ｂ】
2008003572.tif 000029
【図１６ａ】
2008003572.tif 000030
【図１６ｂ】
2008003572.tif 000031
【図１６ｃ】
2008003572.tif 000032
【図１６ｄ】
2008003572.tif 000033
【図１６ｅ】
2008003572.tif 000034
【図１６ｆ】
2008003572.tif 000035
【図１６ｇ】
2008003572.tif 000036
【図１７ａ】
2008003572.tif 000037
【図１７ｂ】
2008003572.tif 000038
【図１７ｃ】
2008003572.tif 000039
【図１７ｄ】
2008003572.tif 000040
【図１７ｅ】
2008003572.tif 000041
【図１７ｆ】
2008003572.tif 000042
【図１７ｇ】
2008003572.tif 000043
【図１８ａ】
2008003572.tif 000044
【図１８ｂ】
2008003572.tif 000045
【図１９】
2008003572.tif 000046
【図２０】
2008003572.tif 000047
【図２１】
2008003572.tif 000048
【図２２】
2008003572.tif 000049
【図２３】
2008003572.tif 000050
【図２４】
2008003572.tif 000051
【図２５】
2008003572.tif 000052
【図２６】
2008003572.tif 000053
【図２７】
2008003572.tif 000054
【図２８】
2008003572.tif 000055
【図２９】
2008003572.tif 000056
【図３０】
2008003572.tif 000057
【図３１】
2008003572.tif 000058
【図３２】
2008003572.tif 000059
【図３３】
2008003572.tif 000060
【図３４】
2008003572.tif 000061
【図３５】
2008003572.tif 000062
【図３６】
2008003572.tif 000063
【図３７】
2008003572.tif 000064
【図３８】
2008003572.tif 000065
【図３９】
2008003572.tif 000066
【図４０】
2008003572.tif 000067
【図４１】
2008003572.tif 000068
【手続補正書】
【提出日】平成19年7月4日(2007.7.4)
【手続補正１】
【補正対象書類名】明細書
【補正対象項目名】００５３
【補正方法】変更
【補正の内容】
【００５３】
動作中、ロック・レバー９０がラッチ位置にある状態では、キー５６５は、ロック・バレル５５４をガイド・アッセンブリ４４の側から見て反時計方向へ回転させるために回転されてもよく、これにより、開口５７２の後縁５８４は、遠位端５８２がロック・レバー９０と接触した状態になるようにロック・スライド５６４を押す。この位置では、ロック・スライド５６４はロック・レバー９０の回転を防止し、これにより、ロック・レバー９０は非ラッチ位置へ移動しないように防止される。キー５６５は、上記アッセンブリをこの位置に固定するために外されてもよい。さらに、セキュリティ機能として、ロック・レバー９０のハンドル９４は、このロック機構を打ち負かそうとして過度の力が使用されると折れるように製造されてもよく、こうして本設備に追加のセキュリティがもたらされる。
【手続補正２】
【補正対象書類名】明細書
【補正対象項目名】００５４
【補正方法】変更
【補正の内容】
【００５４】
デバイス６２をマウント４０から外したいときは、キー５６５をロック・シリンダ５６０内に挿入して、ロック・バレル５５４を時計方向に回転させることができ、開口５７２の前縁５８６は、遠位端５８２がロック・レバー９０から遠位へ引っ張られるようにロック・バレル５５４を引っ張り、これが非ラッチ位置まで回転できるようにする。
【手続補正３】
【補正対象書類名】図面
【補正対象項目名】全図
【補正方法】追加
【補正の内容】
【図１】
2008003572.tif 000069
【図２】
2008003572.tif 000070
【図３】
2008003572.tif 000071
【図４】
2008003572.tif 000072
【図５】
2008003572.tif 000073
【図６】
2008003572.tif 000074
【図７】
2008003572.tif 000075
【図８】
2008003572.tif 000076
【図９】
2008003572.tif 000077
【図１０】
2008003572.tif 000078
【図１０ａ】
2008003572.tif 000079
【図１１】
2008003572.tif 000080
【図１２】
2008003572.tif 000081
【図１３ａ】
2008003572.tif 000082
【図１３ｂ】
2008003572.tif 000083
【図１３ｃ】
2008003572.tif 000084
【図１３ｄ】
2008003572.tif 000085
【図１３ｅ】
2008003572.tif 000086
【図１３ｆ】
2008003572.tif 000087
【図１４ａ】
2008003572.tif 000088
【図１４ｂ】
2008003572.tif 000089
【図１４ｃ】
2008003572.tif 000090
【図１４ｄ】
2008003572.tif 000091
【図１４ｅ】
2008003572.tif 000092
【図１４ｆ】
2008003572.tif 000093
【図１５ａ】
2008003572.tif 000094
【図１５ｂ】
2008003572.tif 000095
【図１５ｃ】
2008003572.tif 000096
【図１５ｄ】
2008003572.tif 000097
【図１５ｅ】
2008003572.tif 000098
【図１５ｆ】
2008003572.tif 000099
【図１６ａ】
2008003572.tif 000100
【図１６ｂ】
2008003572.tif 000101
【図１６ｃ】
2008003572.tif 000102
【図１６ｄ】
2008003572.tif 000103
【図１６ｅ】
2008003572.tif 000104
【図１６ｆ】
2008003572.tif 000105
【図１６ｇ】
2008003572.tif 000106
【図１７ａ】
2008003572.tif 000107
【図１７ｂ】
2008003572.tif 000108
【図１７ｃ】
2008003572.tif 000109
【図１７ｄ】
2008003572.tif 000110
【図１７ｅ】
2008003572.tif 000111
【図１７ｆ】
2008003572.tif 000112
【図１７ｇ】
2008003572.tif 000113
【図１８ａ】
2008003572.tif 000114
【図１８ｂ】
2008003572.tif 000115
【図１９】
2008003572.tif 000116
【図２０】
2008003572.tif 000117
【図２１】
2008003572.tif 000118
【図２２】
2008003572.tif 000119
【図２３】
2008003572.tif 000120
【図２４】
2008003572.tif 000121
【図２５】
2008003572.tif 000122
【図２６】
2008003572.tif 000123
【図２７】
2008003572.tif 000124
【図２８】
2008003572.tif 000125
【図２９】
2008003572.tif 000126
【図３０】
2008003572.tif 000127
【図３１】
2008003572.tif 000128
【図３２】
2008003572.tif 000129
【図３３】
2008003572.tif 000130
【図３４】
2008003572.tif 000131
【図３５】
2008003572.tif 000132
【図３６】
2008003572.tif 000133
【図３７】
2008003572.tif 000134
【図３８】
2008003572.tif 000135
【図３９】
2008003572.tif 000136
【図４０】
2008003572.tif 000137
【図４１】
2008003572.tif 000138
【外国語明細書】
2008003572.tif 000139
2008003572.tif 000140
2008003572.tif 000141
2008003572.tif 000142
2008003572.tif 000143
2008003572.tif 000144
2008003572.tif 000145
2008003572.tif 000146
2008003572.tif 000147
2008003572.tif 000148
2008003572.tif 000149
2008003572.tif 000150
2008003572.tif 000151
2008003572.tif 000152
2008003572.tif 000153
2008003572.tif 000154
2008003572.tif 000155
2008003572.tif 000156
2008003572.tif 000157
2008003572.tif 000158
2008003572.tif 000159
2008003572.tif 000160
2008003572.tif 000161
2008003572.tif 000162
2008003572.tif 000163
2008003572.tif 000164
2008003572.tif 000165
2008003572.tif 000166
2008003572.tif 000167
2008003572.tif 000168
2008003572.tif 000169
2008003572.tif 000170
2008003572.tif 000171
2008003572.tif 000172
2008003572.tif 000173
2008003572.tif 000174
2008003572.tif 000175
2008003572.tif 000176
2008003572.tif 000177
2008003572.tif 000178
2008003572.tif 000179
2008003572.tif 000180
【図１】
2008003572.tif 000181
【図２】
2008003572.tif 000182
【図３】
2008003572.tif 000183
【図４】
2008003572.tif 000184
【図５】
2008003572.tif 000185
【図６】
2008003572.tif 000186
【図７】
2008003572.tif 000187
【図８】
2008003572.tif 000188
【図９】
2008003572.tif 000189
【図１０】
2008003572.tif 000190
【図１０ａ】
2008003572.tif 000191
【図１１】
2008003572.tif 000192
【図１２】
2008003572.tif 000193
【図１３ａ】
2008003572.tif 000194
【図１３ｂ】
2008003572.tif 000195
【図１３ｃ】
2008003572.tif 000196
【図１３ｄ】
2008003572.tif 000197
【図１３ｅ】
2008003572.tif 000198
【図１３ｆ】
2008003572.tif 000199
【図１４ａ】
2008003572.tif 000200
【図１４ｂ】
2008003572.tif 000201
【図１４ｃ】
2008003572.tif 000202
【図１４ｄ】
2008003572.tif 000203
【図１４ｅ】
2008003572.tif 000204
【図１４ｆ】
2008003572.tif 000205
【図１５ａ】
2008003572.tif 000206
【図１５ｂ】
2008003572.tif 000207
【図１６ａ】
2008003572.tif 000208
【図１６ｂ】
2008003572.tif 000209
【図１６ｃ】
2008003572.tif 000210
【図１６ｄ】
2008003572.tif 000211
【図１６ｅ】
2008003572.tif 000212
【図１６ｆ】
2008003572.tif 000213
【図１６ｇ】
2008003572.tif 000214
【図１７ａ】
2008003572.tif 000215
【図１７ｂ】
2008003572.tif 000216
【図１７ｃ】
2008003572.tif 000217
【図１７ｄ】
2008003572.tif 000218
【図１７ｅ】
2008003572.tif 000219
【図１７ｆ】
2008003572.tif 000220
【図１７ｇ】
2008003572.tif 000221
【図１８ａ】
2008003572.tif 000222
【図１８ｂ】
2008003572.tif 000223
【図１９】
2008003572.tif 000224
【図２０】
2008003572.tif 000225
【図２１】
2008003572.tif 000226
【図２２】
2008003572.tif 000227
【図２３】
2008003572.tif 000228
【図２４】
2008003572.tif 000229
【図２５】
2008003572.tif 000230
【図２６】
2008003572.tif 000231
【図２７】
2008003572.tif 000232
【図２８】
2008003572.tif 000233
【図２９】
2008003572.tif 000234
【図３０】
2008003572.tif 000235
【図３１】
2008003572.tif 000236
【図３２】
2008003572.tif 000237
【図３３】
2008003572.tif 000238
【図３４】
2008003572.tif 000239
【図３５】
2008003572.tif 000240
【図３６】
2008003572.tif 000241
【図３７】
2008003572.tif 000242
【図３８】
2008003572.tif 000243
【図３９】
2008003572.tif 000244
【図４０】
2008003572.tif 000245
【図４１】
2008003572.tif 000246